(57)【要約】【課題】停電が発生しているときに必要な電力量を確保しやすい蓄電システムを提供する。【解決手段】使用機器選択部（２２２）は、停電が発生している時間帯に使用する電気機器（２６）を選択する。消費電力予測部（２２３）は、停電が発生している時間帯に使用機器選択部が選択した電気機器が消費する電力を予測する。初期残量設定部（２２４）は、予測した電力と停電が発生する時間帯の時間長さとを乗算して得られる第１電力量を、停電が発生しているときに必要な蓄電池（１４３）の残量に設定する。制御部は、停電が発生していないとき、初期残量設定部が設定した蓄電池の残量よりも残量検出部（１４１）が検出した蓄電池の残量の方が多いときに蓄電池を放電し、初期残量設定部が設定した蓄電池の残量よりも残量検出部が検出した蓄電池の残量の方が少ないときに蓄電池を充電する。【選択図】図１
2014183640.tif 000002
【特許請求の範囲】
【請求項１】
蓄電池と、
停電が発生する時間帯を設定する時間帯設定部と、
前記時間帯設定部が設定した前記時間帯に前記蓄電池が電力を供給する電気機器を選択する使用機器選択部と、
前記時間帯設定部が設定した前記時間帯に前記使用機器設定部が選択した前記電気機器が消費する電力を予測する消費電力予測部と、
前記消費電力予測部が予測した電力と前記時間帯設定部が設定した前記時間帯の時間長さとを乗算して得られる第１電力量を、停電が発生しているときに必要な前記蓄電池の残量に設定する初期残量設定部と、
前記蓄電池の残量を検出する残量検出部と、
前記蓄電池の充放電を制御する制御部とを備え、
前記制御部は、停電が発生していないとき、前記初期残量設定部が設定した前記蓄電池の残量よりも前記残量検出部が検出した前記蓄電池の残量の方が多いときに前記蓄電池を放電し、前記初期残量設定部が設定した前記蓄電池の残量よりも前記残量検出部が検出した前記蓄電池の残量の方が少ないときに前記蓄電池を充電する、蓄電システム。
【請求項２】
請求項１に記載の蓄電システムであって、
前記時間帯設定部が設定した前記時間帯に前記使用機器選択部が選択した前記電気機器に電力を供給する発電装置をさらに備える、蓄電システム。
【請求項３】
請求項２に記載の蓄電システムであって、
前記時間帯設定部が設定した前記時間帯に前記発電装置が発電する電力を予測する発電電力予測部をさらに備え、
前記初期残量設定部は、前記発電電力予測部が予測した電力と前記時間帯設定部が設定した前記時間帯の時間長さとを乗算して得られる第２電力量を前記第１電力量から減算して得られる第３電力量を、停電が発生しているときに必要な前記蓄電池の残量に設定する、蓄電システム。
【請求項４】
請求項１〜３の何れか１項に記載の蓄電システムであって、
前記初期残量設定部が設定した前記蓄電池の残量よりも少ない残量を設定する基準残量設定部と、
前記時間帯設定部が設定した前記時間帯に前記電気機器を使用するときの優先順位を設定する優先順位設定部と、
停電が発生しているときに、前記基準残量設定部が設定した残量よりも前記残量検出部が検出した前記蓄電池の残量の方が少なくなると、前記優先順位設定部が設定した前記優先順位において順位が低い順に、前記蓄電池からの電力供給を停止する前記電気機器を選択する停止機器選択部とをさらに備え、
前記制御部は、前記停止機器選択部が選択した前記電気機器への電力供給を停止する、蓄電システム。
【請求項５】
請求項１〜４の何れか１項に記載の蓄電システムであって、
前記時間帯設定部は、予め定められた時間が経過するごとに、停電が発生する時間帯を設定し、
前記消費電力予測部は、前記時間帯設定部が前記時間帯を設定するごとに、前記時間帯設定部が設定した前記時間帯に前記使用機器設定部が選択した前記電気機器が消費する電力を予測し、
前記初期残量設定部は、前記時間帯設定部が前記時間帯を設定するごとに、前記消費電力予測部が予測した電力と前記時間帯設定部が設定した前記時間帯の時間長さとを乗算して得られる前記第１電力量を、停電が発生しているときに必要な前記蓄電池の残量に設定する、蓄電システム。
【発明の詳細な説明】
【技術分野】
【０００１】
本発明は、蓄電システムに関する。
【背景技術】
【０００２】
近年、蓄電池を備える蓄電システムが普及している。蓄電池に蓄えた電力を利用することにより、停電したときであっても、電気機器に電力を供給できる。また、電力需要の少ない夜間に蓄電池を充電し、昼間に蓄電池が蓄える電力を利用することにより、電気料金を安くできる。
【０００３】
特開２００８−１２８６０５号公報には、蓄電式空気調和装置が開示されている。この蓄電式空気調和装置においては、最小蓄電残量を設定する。最小蓄電残量は、例えば、蓄電池の蓄電容量の１／２等の任意の残量である。蓄電式空気調和装置は、少なくとも予め設定された最小蓄電残量以上の蓄電残量を蓄電池が保持するように、蓄電池から空気調和ユニットに蓄電電力を供給する。そのため、外部電力の供給が遮断された場合に、蓄電池の蓄電電力を外部機器（例えば、テレビやラジオ等）に供給できる。
【先行技術文献】
【特許文献】
【０００４】
【特許文献１】特開２００８−１２８６０５号公報
【発明の概要】
【発明が解決しようとする課題】
【０００５】
しかしながら、最小蓄電残量を大雑把に設定すると、停電が発生しているときに必要な電力量を確保し難い。
【０００６】
本発明の目的は、停電が発生しているときに必要な電力量を確保しやすい蓄電システムを提供することにある。
【課題を解決するための手段】
【０００７】
本発明の実施の形態による蓄電システムは、蓄電池、時間帯設定部、使用機器選択部、消費電力予測部、初期残量設定部、残量検出部及び制御部を備える。時間帯設定部は、停電が発生する時間帯を設定する。使用機器選択部は、時間帯設定部が設定した時間帯に蓄電池が電力を供給する電気機器を選択する。消費電力予測部は、時間帯設定部が設定した時間帯に使用機器設定部が選択した電気機器が消費する電力を予測する。初期残量設定部は、消費電力予測部が予測した電力と時間帯設定部が設定した時間帯の時間長さとを乗算して得られる第１電力量を、停電が発生しているときに必要な蓄電池の残量に設定する。残量検出部は、蓄電池の残量を検出する。制御部は、蓄電池の充放電を制御する。制御部は、停電が発生していないとき、初期残量設定部が設定した蓄電池の残量よりも残量検出部が検出した蓄電池の残量の方が多いときに蓄電池を放電し、初期残量設定部が設定した蓄電池の残量よりも残量検出部が検出した蓄電池の残量の方が少ないときに蓄電池を充電する。
【発明の効果】
【０００８】
本発明の実施の形態による蓄電システムは、停電が発生しているときに必要な電力量を確保しやすい。
【図面の簡単な説明】
【０００９】
【図１】図１は、本発明の第１の実施形態による蓄電システムの概略構成の一例を示すブロック図である。
【図２】図２は、図１に示す蓄電システムが備えるコントローラの概略構成の一例を示すブロック図である。
【図３】図３は、第１の実施形態による蓄電システムの制御部が実行する通常時の処理を示すフローチャートである。
【図４】図４は、第１の実施形態による蓄電システムの制御部が実行する停電時の処理を示すフローチャートである。
【図５】図５は、第１の実施形態による蓄電システムの制御部が実行する通常時の処理を示すフローチャートである。
【図６】図６は、第１の実施形態の応用例２におけるコントローラ２２Ａの概略構成の一例を示すブロック図である。
【図７】図７は、第１の実施形態の応用例２に係る蓄電システムの制御部が実行する停電時の処理を示すフローチャートである。
【図８】図８は、本発明の第２の実施形態による蓄電システムの概略構成の一例を示すブロック図である。
【図９】図９は、図９に示す蓄電システムが備えるコントローラの概略構成の一例を示すブロック図である。
【図１０】図１０は、第２の実施形態による蓄電システムの制御部が実行する通常時の処理を示すフローチャートである。
【図１１】図１１は、第２の実施形態による蓄電システムの制御部が実行する停電時の処理を示すフローチャートである。
【発明を実施するための形態】
【００１０】
本発明の実施の形態による蓄電システムは、蓄電池、時間帯設定部、使用機器選択部、消費電力予測部、初期残量設定部、残量検出部及び制御部を備える。時間帯設定部は、停電が発生する時間帯を設定する。使用機器選択部は、時間帯設定部が設定した時間帯に蓄電池が電力を供給する電気機器を選択する。消費電力予測部は、時間帯設定部が設定した時間帯に使用機器設定部が選択した電気機器が消費する電力を予測する。初期残量設定部は、消費電力予測部が予測した電力と時間帯設定部が設定した時間帯の時間長さとを乗算して得られる第１電力量を、停電が発生しているときに必要な蓄電池の残量に設定する。残量検出部は、蓄電池の残量を検出する。制御部は、蓄電池の充放電を制御する。制御部は、停電が発生していないとき、初期残量設定部が設定した蓄電池の残量よりも残量検出部が検出した蓄電池の残量の方が多いときに蓄電池を放電し、初期残量設定部が設定した蓄電池の残量よりも残量検出部が検出した蓄電池の残量の方が少ないときに蓄電池を充電する。
【００１１】
上記の蓄電システムでは、停電発生時に電気機器が消費すると予測される電力を利用して、蓄電池の残量が設定される。そのため、停電が発生しているときに必要な電力量を確保しやすい。
【００１２】
好ましくは、蓄電システムは発電装置をさらに備える。発電装置は、時間帯設定部が設定した時間帯に使用機器選択部が選択した電気機器に電力を供給する。
【００１３】
このような態様においては、停電発生時に供給可能な電力量が増える。そのため、例えば、停電時間が長くなる場合や、消費電力が多くなる場合にも対応できる。
【００１４】
好ましくは、上記発電装置を備える態様において、蓄電システムは、発電電力予測部をさらに備える。発電電力予測部は、時間帯設定部が設定した時間帯に発電装置が発電する電力を予測する。初期残量設定部は、発電電力予測部が予測した電力と時間帯設定部が設定した時間帯の時間長さとを乗算して得られる第２電力量を第１電力量から減算して得られる第３電力量を、停電が発生しているときに必要な蓄電池の残量に設定する。
【００１５】
このような態様においては、発電装置を備えていない場合よりも、蓄電池の残量を少なく設定できる。つまり、発電装置を備えていない場合よりも、蓄電池が蓄える電力を多く利用できる。
【００１６】
好ましくは、蓄電システムは、基準残量設定部、優先順位設定部及び停止機器選択部をさらに備える。基準残量設定部は、初期残量設定部が設定した蓄電池の残量よりも少ない残量を設定する。優先順位設定部は、時間帯設定部が設定した時間帯に電気機器を使用するときの優先順位を設定する。停止機器選択部は、停電が発生しているときに、基準残量設定部が設定した残量よりも残量検出部が検出した蓄電池の残量の方が少なくなると、優先順位設定部が設定した優先順位において順位が低い順に、蓄電池からの電力供給を停止する電気機器を選択する。制御部は、停止機器選択部が選択した電気機器への電力供給を停止する。
【００１７】
このような態様においては、停電発生時に蓄電池の残量が少なくなってくると、優先順位が低い電気機器の使用が停止される。そのため、蓄電池の残量が減り難くなる。その結果、優先順位が高い電気機器を使用できる時間が長くなる。
【００１８】
好ましくは、時間帯設定部は、予め定められた時間が経過するごとに、停電が発生する時間帯を設定する。消費電力予測部は、時間帯設定部が時間帯を設定するごとに、時間帯設定部が設定した時間帯に使用機器設定部が選択した電気機器が消費する電力を予測する。初期残量設定部は、時間帯設定部が時間帯を設定するごとに、消費電力予測部が予測した電力と時間帯設定部が設定した時間帯の時間長さとを乗算して得られる第１電力量を、停電が発生しているときに必要な蓄電池の残量に設定する。
【００１９】
このような態様においては、蓄電池の残量が定期的に設定される。そのため、適切な残量を設定できる。
【００２０】
以下、本発明のより具体的な実施形態について、図面を参照しながら説明する。図中同一または相当部分には同一符号を付してその説明は繰り返さない。なお、以下で参照する各図は、説明の便宜上、本発明の実施形態の構成部材のうち、本発明を説明するために必要な主要部材のみを簡略化して示したものである。従って、本発明に係る蓄電システムは、本明細書が参照する各図に示されていない任意の構成部材を備え得る。また、各図中の部材の寸法は、実際の構成部材の寸法および各部材の寸法比率等を忠実に表したものではない。
【００２１】
［第１の実施形態］
図１を参照しながら、本発明の第１の実施の形態による蓄電システム１０について説明する。
【００２２】
［蓄電システムの全体構成］
蓄電システム１０は、パワーコンディショナ１２、蓄電池ボックス１４、複数の消費電力取得部１６、中継器１８、ルータ２０及びコントローラ２２を備える。
【００２３】
パワーコンディショナ１２は、制御部１２０、双方向ＤＣ／ＡＣ変換器１２１、双方向ＤＣ／ＤＣ変換器１２２、保護リレー１２３、連系リレー１２４及び自立リレー１２５を含む。
【００２４】
蓄電池ボックス１４は、制御部１４０、残量検出部１４１、ブレーカ１４２、蓄電池１４３及び複数の切替スイッチ１４４を含む。
【００２５】
双方向ＤＣ／ＡＣ変換器１２１は、双方向ＤＣ／ＤＣ変換器１２２、保護リレー１２３及び自立リレー１２５に接続される。双方向ＤＣ／ＤＣ変換器１２２は、ブレーカ１４２を介して、蓄電池１４３に接続される。保護リレー１２３は、連系リレー１２４に接続される。連系リレー１２４は、電力系統２４に接続される。自立リレー１２５は、各切替スイッチ１４４に接続される。各切替スイッチ１４４は、２つの接点１４４Ａ、１４４Ｂと、１つのスイッチ１４４Ｃとを備える。接点１４４Ａは、自立リレー１２５に接続される。接点１４４Ｂは、電力系統２４に接続される。スイッチ１４４Ｃは消費電力取得部１６に接続される。スイッチ１４４Ｃは、２つの接点１４４Ａ、１４４Ｂの何れかに接続される。電気機器２６は、消費電力取得部１６に接続される。
【００２６】
双方向ＤＣ／ＡＣ変換器１２１は、電力系統２４から供給される交流電力を、双方向ＤＣ／ＤＣ変換器１２２に供給するための直流電力に変換する。双方向ＤＣ／ＤＣ変換器１２２は、双方向ＤＣ／ＡＣ変換器１２１が変換した直流電力を、蓄電池１４３に供給するための直流電力に変換する。
【００２７】
双方向ＤＣ／ＤＣ変換器１２２は、蓄電池１４３から供給される直流電力を、双方向ＤＣ／ＡＣ変換器１２１に供給するための直流電力に変換する。双方向ＤＣ／ＡＣ変換器１２１は、双方向ＤＣ／ＤＣ変換器１２２が変換した直流電力を、電気機器２６に供給するための交流電力に変換する。
【００２８】
制御部１２０は、コントローラ２２が送信した信号を受信する。制御部１２０は、受信した信号に基づいて、パワーコンディショナ１２の動作を制御する。具体的には、制御部１２０は、蓄電池１４３を充電する場合には、保護リレー１２３及び連系リレー１２４をＯＮし、自立リレー１２５をＯＦＦする。一方、蓄電池１４３が蓄える電力を使用する場合には、制御部１２０は、保護リレー１２３及び連系リレー１２４をＯＦＦし、自立リレー１２５をＯＮする。
【００２９】
制御部１２０は、電流センサ２８が送信した信号を受信する。電流センサ２８は、連系リレー１２４と電力系統２４との間に配置され、停電が発生しているか否かを検出する。制御部１２０は、受信した信号（電流センサ２８が送信した信号）に基づいて、停電が発生しているか否かを示す信号をコントローラ２２に送信する。
【００３０】
制御部１４０は、制御部１２０を介してコントローラ２２から送信されてきた信号を受信する。制御部１４０は、受信した信号に基づいて、蓄電池ボックス１４の動作を制御する。具体的には、制御部１４０は、蓄電池１４３を充電する場合には、ブレーカ１４２をＯＮして、蓄電池１４３を充電するとともに、各切替スイッチ１４４において、スイッチ１４４Ｃを接点１４４Ｂに接続する。蓄電池１４３を放電する場合には、制御部１４０は、ブレーカ１４２をＯＮして、蓄電池１４３を放電するとともに、各切替スイッチ１４４において、スイッチ１４４Ｃを接点１４４Ａに接続する。
【００３１】
制御部１４０は、残量検出部１４１からの信号を受信する。残量検出部１４１は、蓄電池１４３の残量を検出する。残量検出部１４１は、検出した残量を制御部１４０に送信する。制御部１４０は、受信した蓄電池１４３の残量を、制御部１２０を介してコントローラ２２に送信する。
【００３２】
消費電力取得部１６は、家庭内で使用される電気機器２６（例えば、冷蔵庫やエアコン、洗濯機、照明器具、電磁調理器、テレビ等）が実際に消費する電力を取得する。消費電力取得部１６は、取得した電気機器２６の消費電力を中継器１８に送信する。消費電力取得部１６は、例えば、コンセントに差し込まれるタップに内蔵される。タップは、電気機器２６が備えるプラグを差し込むための差込口を有する。なお、消費電力取得部１６は、電気機器２６に内蔵されていてもよいし、配電盤に設けられていてもよい。
【００３３】
中継器１８は、消費電力取得部１６が送信した電気機器２６の消費電力を受信する。中継器１８は、各電気機器２６の消費電力を時間帯ごとに蓄積する。時間帯は、例えば、９時〜１０時のように、時間長さが１時間の時間帯であってもよいし、９時〜１２時のように、時間長さが数時間の時間帯であってもよい。中継器１８は、例えば、各電気機器２６の消費電力を所定時間（例えば、５分）ごとに取得し、取得した消費電力を基にして、電気機器２６ごとに各時間帯の平均値や最大値を蓄積する。中継器１８が蓄積する消費電力は、所定期間分（例えば、過去２年間分）である。中継器１８は、ルータ２０からの要求により、電気機器２６の消費電力をルータ２０に送信する。
【００３４】
ルータ２０は、コントローラ２２からの要求により、中継器１８に対して、電気機器２６の消費電力を送信するように要求する。ルータ２０は、中継器１８が送信した電気機器２６の消費電力を受信する。ルータ２０は、受信した電気機器２６の消費電力をコントローラ２２に送信する。
【００３５】
［コントローラ］
コントローラ２２は、図２に示すように、制御部２２０、時間帯設定部２２１、使用機器選択部２２２、消費電力予測部２２３及び初期残量設定部２２４を含む。
【００３６】
時間帯設定部２２１は、停電が発生する時間帯を設定する。時間帯は、例えば、９時〜１０時のように、時間長さが１時間の時間帯であってもよいし、９時〜１２時のように、時間長さが数時間の時間帯であってもよい。停電が発生する時間帯は、例えば、以下のようにして設定される。
【００３７】
［計画停電に備える場合］
計画停電に備える場合、停電が発生する時間帯は予め判る。停電が発生する時間帯は、ユーザが入力した情報に基づいて設定してもよい。或いは、時間帯設定部２２１がインターネットを介して取得した情報に基づいて設定してもよい。停電が発生する時間帯として、例えば１１月１２日の午後２時〜６時までというように、具体的な日時が設定される。なお、計画停電が定期的に行われる場合には、具体的な日付が設定される必要はない。例えば午後２時〜午後６時までといったように、停電が発生する時間帯だけが設定されてもよい。計画停電が定期的に行われる場合、時間帯設定部２２１は、先に設定した時間帯が終了するたびに、停電が発生する時間帯を設定する。
【００３８】
［突発的な停電に備える場合］
突発的な停電に備える場合、停電が発生する時間帯は予め判らない。この場合、ユーザは、停電が発生しているときに電気機器２６を使用したい時間（具体的な時間の長さであって、例えば、１時間）を入力する。時間帯設定部２２１は、現在の時刻からユーザが入力した時間が経過するまでの時間帯を、停電が発生する時間帯に設定する。この場合、実際に停電が発生している時間帯の全てにおいてユーザが電気機器２６を使用できないかもしれないが、実際に停電が発生している時間帯の一部（例えば、停電が発生した直後）についてはユーザが電気機器２６を使用できるようになる。時間帯設定部２２１は、所定の時間（例えば、１０分）が経過するたびに、停電が発生する時間帯を設定する。所定の時間が経過したか否かの判断は、例えば、コントローラ２２が備えるタイマ（図示せず）を利用すればよい。なお、停電が発生しているときに電気機器を使用できる時間は、デフォルトで設定してもよい。
【００３９】
時間帯設定部２２１は、計画停電に備える場合と突発的な停電に備える場合とのそれぞれについて、停電が発生する時間帯を設定してもよいし、計画停電に備える場合と突発的な停電に備える場合とのいずれかについて、停電が発生する時間帯を設定してもよい。
【００４０】
使用機器選択部２２２は、時間帯設定部２２１が設定した時間帯に使用する電気機器２６を選択する。停電が発生する時間帯に使用する電気機器２６は、ユーザの入力に応じて使用機器選択部２２２が選択してもよいし、デフォルトで使用機器選択部２２２が選択してもよい。使用機器選択部２２２は、例えば、時間帯ごとに使用する電気機器２６を選択する。停電が発生する時間帯に使用する電気機器２６は、ユーザが当該時間帯において絶対に使用したい電気機器２６を中心に選択される。例えば、冷蔵庫は１日中使用できるのが好ましいので、何れの時間帯に停電が発生する場合においても、冷蔵庫は選択される。夜間は照明を使用できるのが好ましいので、停電が夜間に発生する場合には、照明が選択される。
【００４１】
消費電力予測部２２３は、時間帯設定部２２１が設定した時間帯に使用機器選択部２２２が選択した電気機器２６が消費する電力を予測する。消費電力は、例えば、以下のようにして予測される。
【００４２】
消費電力予測部２２３は、中継器１８が格納する電気機器２６の消費電力を、ルータ２０を介して取得する。消費電力予測部２２３は、中継器１８が格納する電気機器２６の消費電力を基にして、時間帯設定部２２１が設定した時間帯に使用機器選択部２２２が選択した電気機器２６が消費する電力を予測する。
【００４３】
具体的には、消費電力予測部２２３は、例えば、時間帯設定部２２１が設定した時間帯と同じ時間帯であって昨日の当該時間帯における消費電力の平均値や最大値を時間帯設定部２２１が設定した時間帯の消費電力と予測する。なお、消費電力予測部２２３は、時間帯設定部２２１が設定した時間帯と同じ時間帯であって過去数日分の当該時間帯における消費電力の平均値や最大値を時間帯設定部２２１が設定した時間帯の消費電力と予測してもよいし、時間帯設定部２２１が設定した時間帯と同じ時間帯であって昨年の同じ日の当該時間帯における消費電力の平均値や最大値を時間帯設定部２２１が設定した時間帯の消費電力と予測してもよい。
【００４４】
突発的な停電に備える場合には、消費電力予測部２２３は、例えば、現時点の消費電力、つまり、中継器１８が格納する消費電力のうち最新の消費電力を時間帯設定部２２１が設定した時間帯の消費電力と予測する。なお、突発的な停電に備える場合には、消費電力予測部２２３は、時間帯設定部２２１が設定した時間帯と同じ時間帯であって過去数日分の当該時間帯における消費電力の最大値を時間帯設定部２２１が設定した時間帯の消費電力と予測してもよいし、時間帯設定部２２１が設定した時間帯と同じ時間帯であって昨年の同じ日の当該時間帯における消費電力の最大値を時間帯設定部２２１が設定した時間帯の消費電力と予測してもよいし、昨日の消費電力の最大値を時間帯設定部２２１が設定した時間帯の消費電力と予測してもよい。
【００４５】
実際の使用に基づく消費電力が中継器１８に蓄積されていない場合、消費電力予測部２２３は、例えば、インターネットを通じて取得した消費電力や定格消費電力を利用してもよい。
【００４６】
初期残量設定部２２４は、消費電力予測部２２３が予測した消費電力（単位：ｋＷ）と時間帯設定部２２１が設定した時間帯の時間長さ（単位：ｈ）とを乗算して得られる電力量（単位：ｋＷｈ）、つまり、停電が発生しているときに電気機器２６が消費すると予測される電力量を蓄電池１４３の残量に設定する。複数の電気機器２６を使用する場合、初期残量設定部２２４は電気機器２６ごとに電力量を計算する。初期残量設定部２２４は、使用する電気機器２６ごとに得られた電力量を合算する。初期残量設定部２２４は、合算することで得られた電力量を蓄電池１４３の残量に設定する。
【００４７】
初期残量設定部２２４は、計画停電に備える場合の蓄電池１４３の残量と突発的な停電に備える場合の蓄電池１４３の残量とを、それぞれ、設定してもよいし、計画停電に備える場合の蓄電池１４３の残量と突発的な停電に備える場合の蓄電池１４３の残量との何れか一方だけを設定してもよい。計画停電に備える場合の蓄電池１４３の残量と突発的な停電に備える場合の蓄電池１４３の残量とをそれぞれ設定した場合には、初期残量設定部２２４は、計画停電に備える場合の蓄電池１４３の残量と、突発的な停電に備える場合の蓄電池１４３の残量とを比較し、多いほうの残量を採用する。
【００４８】
制御部２２０は、初期残量設定部２２４が設定した蓄電池１４３の残量（設定残量）を、制御部１２０を介して制御部１４０に送信する。停電が発生していないときには、上記設定残量が確保されるように、制御部１４０が蓄電池ボックス１４の動作を制御し、制御部１２０がパワーコンディショナ１２の動作を制御する。停電が発生しているときには、蓄電池１４３が蓄える電力が電気機器２６に供給されるように、制御部１４０が蓄電池ボックス１４の動作を制御し、制御部１２０がパワーコンディショナ１２の動作を制御する。
【００４９】
続いて、蓄電システム１０の制御部が行う処理について、フローチャートを参照しながら説明する。蓄電システム１０の制御部は、コントローラ２２が備える制御部２２０、パワーコンディショナ１２が備える制御部１２０及び蓄電池ボックス１４が備える制御部１４０を含んで構成される。以下に説明する処理は、コントローラ２２が備える制御部２２０、パワーコンディショナ１２が備える制御部１２０及び蓄電池ボックス１４が備える制御部１４０の何れかが実行する。
【００５０】
図３を参照しながら、停電が発生していないときの処理（通常時の処理）について説明する。通常時の処理は、停電が発生したことを示す信号（制御部１２０が送信する）を制御部２２０が受信しない限り、実行される。
【００５１】
先ず、制御部２２０は、Ｓ１１において、蓄電池１４３の残量を設定するか否かを判定する。蓄電池１４３の残量を設定するか否かの判断基準は、以下のとおりである。
（１）残量が未だ設定されていない
（２）時間帯設定部２２１が停電の発生する時間帯を新たに設定した
（３）時間帯設置部２２１が設定した時間帯に使用する電気機器２６を使用機器選択部２２２が新たに選択した
【００５２】
残量が未だ設定されていない場合、停電の発生する時間帯が新たに設定された場合、および、停電時に使用する電気機器２６が新たに選択された場合には、制御部２２０は、蓄電池１４３の残量を設定すると判定する（Ｓ１１：ＹＥＳ）。一方、停電の発生する時間帯が新たに設定されていない場合、および、停電時に使用する電気機器２６が新たに選択されていない場合には、制御部２２０は、蓄電池１４２の残量を設定しないと判定する（Ｓ１１：ＮＯ）。
【００５３】
制御部２２０が蓄電池１４３の残量を設定しないと判定した場合（Ｓ１１：ＮＯ）、制御部２２０は、後述するＳ１３以降の処理を実行する。制御部２２０が蓄電池１４３の残量を設定すると判定した場合（Ｓ１１：ＹＥＳ）、制御部２２０は、Ｓ１２において、蓄電池１４３の残量を設定する。
【００５４】
制御部２２０が蓄電池１４３の残量を設定する処理は、以下のとおりである。
【００５５】
先ず、制御部２２０は、初期残量設定部２２４に対して、蓄電池１４３の残量を設定するように要求する。初期残量設定部２２４は、使用機器選択部２２２が選択している電気機器２６を取得する。初期残量設定部２２４は、時間帯設定部２２１が設定している時間帯を取得する。初期残量設定部２２４は、使用機器選択部２２２が選択している電気機器２６及び停電時間帯２２１が設定している時間帯を、消費電力予測部２２３に提供する。消費電力予測部２２３は、初期残量設定部２２４から提供されたデータ（使用機器選択部２２２が選択している電気機器２６及び時間帯設定部２２１が設定している時間帯）を基にして、蓄電池１４３の残量を設定するために必要なデータを決定する。計画停電に備える場合には、消費電力予測部２２３は、例えば、使用機器選択部２２２が選択した電気機器２６が過去に消費した電力であって、時間帯設定部２２１が設定した時間帯と同じ時間帯に消費した電力を、蓄電池１４３の残量を設定するために必要なデータにする。突発的な停電に備える場合には、消費電力予測部２２３は、例えば、使用機器選択部２２２が選択した電気機器２６が過去に消費した電力であって、最新の消費電力を、蓄電池１４３の残量を設定するために必要なデータにする。消費電力予測部２２３は、蓄電池１４３の残量を設定するために必要なデータを、ルータ２０を介して、中継器１８から取得する。消費電力予測部２２３は、取得したデータに基づいて、時間帯設定部２２１が設定した時間帯に使用機器選択部２２２が選択した電気機器２６が消費する電力を予測する。消費電力予測部２２３は、予測した消費電力を初期残量設定部２２４に提供する。初期残量設定部２２４は、消費電力予測部２２３が予測した消費電力と時間帯設定部２２１が設定した時間帯の時間長さとに基づいて、蓄電池１４３の残量を設定する。初期残量設定部２２４は、初期残量設定部２２４が設定した残量（設定残量）を制御部２２０に提供する。制御部２２０は、提供された設定残量を、制御部１２０を介して、制御部１４０に送信する。制御部１４０は、受信した設定残量を、停電が発生したときに必要な蓄電池１４３の残量（初期残量）に設定する。
【００５６】
上記の処理が終了すると、制御部１４０は、Ｓ１３において、残量検出部１４１が検出した蓄電池１４３の残量（検出残量）を取得し、当該検出残量が初期残量よりも少ないか否かを判断する。
【００５７】
蓄電池１４３の残量が初期残量よりも少ない場合（Ｓ１３：ＹＥＳ）、制御部１２０、１４０は、Ｓ１４において、蓄電池１４３を充電する処理を実行する。
【００５８】
蓄電池１４３を充電する処理は、以下のとおりである。
（１）制御部１４０は、電力系統２４の電力を電気機器２６に供給するとともに、蓄電池１４３を充電するように、蓄電池ボックス１４の動作を制御する。
（２）制御部１４０は、蓄電池ボックス１４が行う動作を示す信号を制御部１２０に送信する。
（３）制御部１２０は、制御部１４０からの信号を受信したら、電力系統２４の電力を電気機器２６に供給するとともに、蓄電池１４３を充電するように、パワーコンディショナ１２の動作を制御する。
【００５９】
具体的には、制御部１４０は、ブレーカ１４２をＯＮするとともに、各切替スイッチ１４４において、スイッチ１４４Ｃを接点１４４Ｂに接続する。制御部１２０は、保護リレー１２３及び連系リレー１２４をＯＮし、且つ、自立リレー１２５をＯＦＦする。これにより、電力系統２４の電力が、切替スイッチ１４４及び消費電力取得部１６を介して、電気機器２６に供給される。また、電力系統２４の電力により、蓄電池１４３が充電される。
【００６０】
上記の処理が終了すると、制御部１４０は、Ｓ１５において、上記検出残量を取得し、当該検出残量が所定の第１基準残量よりも多いか否かを判断する。第１基準残量は、初期残量よりも多い残量であればよい。第１基準残量は、初期残量に応じて適宜設定される。第１基準残量は、例えば、制御部１４０が初期残量を設定するときに併せて設定される。
【００６１】
残量検出部１４１が検出した蓄電池１４３の残量が所定の第１基準残量よりも多い場合（Ｓ１５：ＹＥＳ）、または、検出残量が初期残量以上である場合（Ｓ１３：ＮＯ）には、制御部１２０、１４０は、Ｓ１６において、電気機器２６に電力を供給する処理を実行する。
【００６２】
電気機器２６に電力を供給する態様としては、以下の３つがある。制御部１２０、１４０は、何れの処理を実行してもよい。
（１）蓄電池１４３が蓄える電力と電力系統２４からの電力を電気機器２６に供給する態様
（２）蓄電池１４３が蓄える電力だけを電気機器２６に供給する態様
（３）電力系統２４からの電力だけを電気機器２６に供給する態様
【００６３】
蓄電池１４３が蓄える電力と電力系統２４からの電力を電気機器２６に供給する態様において実行される処理は、以下のとおりである。
（１）制御部１４０は、蓄電池１４３が蓄える電力及び電力系統２４からの電力を電気機器２６に供給するように、蓄電池ボックス１４の動作を制御する。
（２）制御部１４０は、蓄電池ボックス１４が行う動作を示す信号を制御部１２０に送信する。
（３）制御部１２０は、制御部１４０からの信号を受信したら、蓄電池１４３が蓄える電力及び電力系統２４からの電力を電気機器２６に供給するように、パワーコンディショナ１２の動作を制御する。
【００６４】
具体的には、制御部１４０は、ブレーカ１４２をＯＮするとともに、各切替スイッチ１４４において、スイッチ１４４Ｃを接点１４４Ｂに接続する。制御部１２０は、保護リレー１２３及び連系リレー１２４をＯＮし、且つ、自立リレー１２５をＯＦＦする。これにより、蓄電池１４３の電力が、ブレーカ１４２、双方向ＤＣ／ＤＣ変換器１２２、双方向ＤＣ／ＡＣ変換器１２１、保護リレー１２３、連系リレー１２４、切替スイッチ１４４及び消費電力取得部１６を介して、電気機器２６に供給される。また、電力系統２４からの電力が、切替スイッチ１４４及び消費電力取得部１６を介して、電気機器２６に供給される。
【００６５】
蓄電池１４３が蓄える電力だけを電気機器２６に供給する態様において実行される処理は、以下のとおりである。
（１）制御部１４０は、蓄電池１４３が蓄える電力だけを電気機器２６に供給するように、蓄電池ボックス１４の動作を制御する。
（２）制御部１４０は、蓄電池ボックス１４が行う動作を示す信号を制御部１２０に送信する。
（３）制御部１２０は、制御部１４０からの信号を受信したら、蓄電池１４３が蓄える電力だけを電気機器２６に供給するように、パワーコンディショナ１２の動作を制御する。
【００６６】
具体的には、制御部１４０は、ブレーカ１４２をＯＮするとともに、各切替スイッチ１４４において、スイッチ１４４Ｃを接点１４４Ａに接続する。制御部１２０は、保護リレー１２３及び連系リレー１２４をＯＦＦし、且つ、自立リレー１２５をＯＮする。これにより、蓄電池１４３の電力が、ブレーカ１４２、双方向ＤＣ／ＤＣ変換器１２２、双方向ＤＣ／ＡＣ変換器１２１、自立リレー１２５、切替スイッチ１４４及び消費電力取得部１６を介して、電気機器２６に供給される。また、電力系統２４が電気機器２６に電力を供給する経路が遮断される。
【００６７】
電力系統２４からの電力だけを電気機器２６に供給する態様において実行される処理は、以下のとおりである。
（１）制御部１４０は、電力系統２４からの電力だけを電気機器２６に供給するように、蓄電池ボックス１４の動作を制御する。
（２）制御部１４０は、蓄電池ボックス１４が行う動作を示す信号を制御部１２０に送信する。
（３）制御部１２０は、制御部１４０からの信号を受信したら、電力系統２４からの電力だけを電気機器２６に供給するように、パワーコンディショナ１２の動作を制御する。
【００６８】
具体的には、制御部１４０は、ブレーカ１４２をＯＦＦするとともに、各切替スイッチ１４４において、スイッチ１４４Ｃを接点１４４Ｂに接続する。制御部１２０は、保護リレー１２３及び連系リレー１２４をＯＮし、且つ、自立リレー１２５をＯＦＦする。これにより、電力系統２４からの電力が、切替スイッチ１４４及び消費電力取得部１６を介して、電気機器２６に供給される。また、蓄電池１４３が電気機器２６に電力を供給する経路が遮断される。
【００６９】
上記の処理が終了したら、Ｓ１１以降の処理が繰り返し実行される。検出残量が所定の第１基準残量よりも少ない場合（Ｓ１５：ＮＯ）には、検出残量が所定の第１基準残量よりも多くなるまで、蓄電池１４３が充電される。
【００７０】
続いて、図４を参照しながら、停電が発生したときの処理（停電時の処理）について説明する。停電時の処理は、停電が発生したことを示す信号（制御部１２０が送信する）を制御部２２０が受信した後、停電が発生していないことを示す信号（制御部１２０が送信する）を制御部２２０が受信するまでの間に、実行される。
【００７１】
先ず、制御部２２０は、Ｓ１０１において、蓄電池１４３を放電する処理を実行する。なお、蓄電池１４３を放電する処理は、通常時の処理におけるＳ１６の処理で説明した、蓄電池１４３が蓄える電力だけを電気機器２６に供給する態様において実行される処理と同じであるから、その詳細についての説明は省略する。
【００７２】
上記の処理が終了したら、制御部２２０は、Ｓ１０２において、停電から復旧したか否かを判断する。停電が発生していないことを示す信号を受信した場合、制御部２２０は停電から復旧したと判断する。停電が発生していないことを示す信号を受信しない場合、制御部２２０は停電から復旧していないと判断する。
【００７３】
停電から復旧していない場合（Ｓ１０２：ＮＯ）には、停電から復旧するまで待つ。停電から復旧した場合（Ｓ１０２：ＹＥＳ）には、図３において（Ａ）で示す場所に移動する。つまり、通常時の処理におけるＳ１３以降の処理が実行される。
【００７４】
このような蓄電システム１０においては、停電発生時に電気機器２６が消費すると予測される電力を利用して、蓄電池１４３の残量が設定される。そのため、停電が発生しているときに必要な電力量を確保しやすい。
【００７５】
また、蓄電システム１０においては、突発的な停電に備える場合において、蓄電池１４３の残量が定期的に設定される。そのため、適切な残量を設定できる。
【００７６】
［第１の実施形態の応用例１］
電気機器２６に電力を供給する電源を時間帯ごとに変更してもよい。例えば、電気料金が安い時間帯では、蓄電池１４３の電力を使用せずに、電力系統２４の電力を使用してもよい。図５は、このような態様において蓄電システムの制御部が実行する通常時の処理を示すフローチャートである。
【００７７】
図５を参照しながら、蓄電システムの制御部が実行する通常時の処理について説明する。なお、第１の実施形態と同じ処理については、第１の実施形態と同じステップ番号を付して、その詳細な説明は省略する。
【００７８】
上記態様においては、Ｓ１５の処理が実行された後において、Ｓ１７の処理が実行される。なお、Ｓ１７の処理は、検出残量が初期残量よりも少ない場合にも実行される。また、Ｓ１６の代わりに、Ｓ１６Ａ及びＳ１６Ｂの何れかが実行される。
【００７９】
Ｓ１７の処理は、所定の時間帯であるか否かを判定する処理である。所定の時間帯は、例えば、電力系統２４の電力を利用するときの料金（電気料金）が他の時間帯よりも安い時間帯である。制御部１４０がＳ１７の処理を実行する。所定の時間帯であるか否かの判断は、例えば、蓄電池ボックス１４が備えるタイマ（図示せず）を利用すればよい。
【００８０】
所定の時間帯でない場合（Ｓ１７：ＮＯ）には、制御部１４０は、Ｓ１６Ａの処理を実行する。Ｓ１６Ａの処理は、第１の実施形態におけるＳ１６の処理で説明した、蓄電池１４３が蓄える電力だけを電気機器２６に供給する態様において実行される処理と同じであるから、その詳細についての説明は省略する。
【００８１】
所定の時間帯である場合（Ｓ１７：ＹＥＳ）には、制御部１４０は、Ｓ１６Ｂの処理を実行する。Ｓ１６Ｂの処理は、第１の実施形態におけるＳ１６の処理で説明した、電力系統２４からの電力だけを電気機器２６に供給する態様において実行される処理と同じであるから、その詳細についての説明は省略する。
【００８２】
上記の処理が終了したら、Ｓ１１以降の処理が繰り返し実行される。
【００８３】
本応用例に係る蓄電システムにおいては、電気料金が安い時間帯は電力系統２４の電力を利用するので、電気料金を安くすることができる。
【００８４】
［第１の実施形態の応用例２］
停電が発生しているときに、蓄電池１４３の残量に応じて、使用する電気機器２６を減らしてもよい。
【００８５】
図６は、本応用例におけるコントローラ２２Ａの概略構成の一例を示すブロック図である。図７は、本応用例に係る蓄電システムの制御部が実行する停電時の処理を示すフローチャートである。
【００８６】
図６に示すように、コントローラ２２Ａは、第１の実施形態と比べて、基準残量設定部２２５と、優先順位設定部２２６とを備える。
【００８７】
基準残量設定部２２５は、初期残量設定部２２４が設定した蓄電池１４３の残量よりも少ない残量（第２基準残量）を設定する。第２基準残量は、停電が発生しているときに使用する電気機器２６を減らす際の基準となる。初期残量設定部２２４は、初期残量を設定するたびに、設定した初期残量を基準残量設定部２２５に提供する。基準残量設定部２２５は、初期残量設定部２２４から初期残量が提供されるたびに、第２基準残量を設定する。第２基準残量は、１つであってもよいし、複数であってもよい。基準残量設定部２２５は、設定した第２基準残量を制御部２２０に送信する。制御部２２０は、受信した第２基準残量を、制御部１２０を介して制御部１４０に送信する。
【００８８】
優先順位設定部２２６は、時間帯設定部２２１が設定した時間帯に電気機器２６を使用するときの優先順位を設定する。優先順位設定部２２６は、使用機器選択部２２２が選択した電気機器２６の中から優先的に使用する電気機器２６を選択して、優先順位を決定する。
【００８９】
優先順位は、使用機器選択部２２２が選択した電気機器２６のうち、停電が発生しているときに絶対必要な電気機器２６の順位が最も高くなるように決定される。優先順位は、時間帯ごとに変化してもよい。例えば、冷蔵庫は常時使用すべき電気機器２６であるから、冷蔵庫の順位は最も高い。夜間には照明が必要になるから、夜間では照明の順位は高い。ゲーム機やテレビ等の娯楽に供される電気機器２６の順位は低い。優先順位は、デフォルトで設定されてもよいし、ユーザの入力に応じて設定されてもよい。
【００９０】
使用機器選択部２２２は、使用する電気機器２６を選択するたびに、選択した電気機器２６を優先順位設定部２２６に提供する。優先順位設定部２２６は、使用機器選択部２２２から選択した電気機器２６が提供されるたびに、優先順位を設定する。優先順位設定部２２６は、設定した優先順位を制御部２２０に送信する。制御部２２０は、受信した優先順位を、制御部１２０を介して制御部１４０に送信する。
【００９１】
図７を参照しながら、本応用例に係る蓄電システムの制御部が実行する停電時の処理について説明する。なお、第１の実施形態と同じ処理については、第１の実施形態と同じステップ番号を付して、その詳細な説明は省略する。
【００９２】
本応用例では、Ｓ１０１とＳ１０２の間において、Ｓ１０３の処理と、Ｓ１０４の処理とが実行される。
【００９３】
Ｓ１０３において、制御部１４０は、検出残量を取得し、受信した第２基準残量と比較する。検出残量が第２基準残量以上である場合（Ｓ１０３：ＮＯ）には、制御部１４０は、Ｓ１０２以降の処理を実行する。一方、検出残量が第２基準残量よりも少ない場合（Ｓ１０３：ＹＥＳ）には、制御部１４０は、Ｓ１０４において、電気機器２６の使用を停止する。
【００９４】
電気機器２６の使用を停止する処理は、以下のとおりである。
（１）制御部１４０は、受信した優先順位において順位が低い順に、蓄電池１４３からの電力供給を停止する電気機器２６を選択する。
（２）制御部１４０は、選択した電気機器２６に接続されている切替スイッチ１４４において、スイッチ１４４Ｃを端子１４４Ｂに接続する。
【００９５】
上記（２）の処理が実行されることにより、スイッチ１４４Ｃが端子１４４Ｂに接続された切替スイッチ１４４に接続されている電気機器２６には、蓄電池１４３からの電力が供給されない。また、停電が発生しているので、当該電気機器２６には、電力系統２４からの電力も供給されない。したがって、当該電気機器２６には電力が供給されなくなる。その結果、当該電気機器２６の使用が停止される。
【００９６】
なお、上述の説明から明らかなように、本実施形態では、制御部１４０が停止機器選択部として機能する。
【００９７】
本応用例にかかる蓄電システムにおいては、停電発生時に蓄電池１４３の残量が少なくなってくると、優先順位が低い電気機器２６の使用が停止される。そのため、蓄電池１４３の残量が減り難くなる。その結果、優先順位が高い電気機器２６を使用できる時間が長くなる。
【００９８】
なお、本応用例では、優先順位が予め設定されていたが、例えば、優先順位を予め設定せずに、蓄電池１４３の残量が基準残量よりも少なくなったときに、使用を停止する電気機器２６をユーザに確認してもよい。
【００９９】
［第２の実施形態］
続いて、図８及び図９を参照しながら、本発明の第２の実施形態による蓄電システムについて説明する。本実施形態の蓄電システム１０Ａは、第１の実施形態と比べて、発電装置としての太陽電池３０及びパワーコンディショナ３２を備える（図８参照）。パワーコンディショナ１２の代わりに、パワーコンディショナ１２Ａを備える（図８参照）。コントローラ２２の代わりに、コントローラ２２Ｂを備える（図８及び図９参照）。
【０１００】
太陽電池３０は、太陽光を利用して発電する。太陽電池３０は、３つのブロック３０Ａ，３０Ｂ，３０Ｃに分かれている。ブロック３０Ａ，３０Ｂは、パワーコンディショナ３２に接続されている。太陽電池３０のブロック３０Ｃは、パワーコンディショナ１２Ａに接続されている。
【０１０１】
パワーコンディショナ３２は、制御部３２０、ＤＣ／ＤＣ変換器３２１、ＤＣ／ＡＣ変換器３２２、保護リレー３２３、連系リレー３２４及び自立リレー３２５を含む。
【０１０２】
パワーコンディショナ１２Ａは、パワーコンディショナ１２に比して、ＤＣ／ＤＣ変換器１２６、切替スイッチ１２７、発電電力取得部１２８及び格納部１２９をさらに含む。
【０１０３】
ＤＣ／ＤＣ変換器１２６は、双方向ＤＣ／ＡＣ変換器１２１及び双方向ＤＣ／ＤＣ変換器１２２に接続される。切替スイッチ１２７は、２つの接点１２７Ａ、１２７Ｂと、１つのスイッチ１２７Ｃとを備える。接点１２７Ａは、ＤＣ／ＤＣ変換器３２１に接続される。接点１２７Ｂは、ＤＣ／ＤＣ変換器１２６に接続される。スイッチ１２７Ｃは、太陽電池３０のブロック３０Ｃに接続される。スイッチ１２７Ｃは、２つの接点１４４Ａ、１４４Ｂの何れかに接続される。
【０１０４】
ＤＣ／ＤＣ変換器３２１は、ブロック３０Ａ，３０Ｂに接続されるとともに、切替スイッチ１２７の接点１２７Ａに接続される。ＤＣ／ＡＣ変換器３２２は、ＤＣ／ＤＣ変換器３２１、保護リレー３２３及び自立リレー３２５に接続される。保護リレー３２３は、連系リレー３２４に接続される。連系リレー３２４は、電力系統２４に接続される。
【０１０５】
図８に示す例では、２つのブロック３０Ａ、３０Ｂが１つのＤＣ／ＤＣ変換器３２１に接続されているが、ブロック３０Ａ，３０Ｂごとに１つのＤＣ／ＤＣ変換器が接続されていてもよい。
【０１０６】
ＤＣ／ＤＣ変換器３２１は、ブロック３０Ａ，３０Ｂから供給される直流電力を、ＤＣ／ＡＣ変換器３２２に供給するための直流電力に変換する。ＤＣ／ＡＣ変換器３２２は、ＤＣ／ＤＣ変換器３２１によって変換された直流電力を、電気機器２６に供給するための交流電力に変換する。また、ＤＣ／ＡＣ変換器３２２によって変換された交流電力は、電力系統２４を介して、電力会社に提供される。
【０１０７】
ここで、電流センサ２８と電力系統２４の間には、電流センサ３４が配置される。電流センサ３４は、電力の潮流を検出する。コントローラ２２Ｂは、電流センサ３４からの信号に基づいて、売電状態か買電状態かを判断し、図示しない表示画面に判断結果を表示する。
【０１０８】
ＤＣ／ＤＣ変換器１２６は、切替スイッチ１２７を介して太陽電池３０のブロック３０Ｃから供給される直流電力を、双方向ＤＣ／ＡＣ変換器１２１及び双方向ＤＣ／ＤＣ変換器１２２に供給するための直流電力に変換する。
【０１０９】
切替スイッチ１２７は、太陽電池３０のブロック３０Ｃから供給される直流電力をＤＣ／ＤＣ変換器１２６又はＤＣ／ＤＣ変換器３２１に供給する。具体的には、切替スイッチ１２７は、停電が発生していないときには、太陽電池３０のブロック３０Ｃから供給される直流電力をＤＣ／ＤＣ変換器３２１に供給し、停電が発生しているときには、太陽電池３０のブロック３０Ｃから供給される直流電力をＤＣ／ＤＣ変換器１２６に供給する。
【０１１０】
発電電力取得部１２８は、太陽電池３０のブロック３０Ｃによる発電電力を取得する。発電電力取得部１２８は、取得した発電電力を格納部１２９に送信する。格納部１２９は、太陽電池３０のブロック３０Ｃによる発電電力を時間帯ごとに蓄積する。時間帯は、例えば、９時〜１０時のように、時間長さが１時間の時間帯であってもよいし、９時〜１２時のように、時間長さが数時間の時間帯であってもよい。格納部１２９は、例えば、太陽電池３０のブロック３０Ｃによる発電電力を所定時間（例えば、５分）ごとに取得し、取得した発電電力を基にして、各時間帯の平均値や最小値を蓄積する。格納部１２９が蓄積する発電電力は、所定期間分（例えば、過去２年間分）である。格納部１２９は、時間帯ごとの天気を併せて蓄積する。格納部１２９は、制御部１２０を介して行われるコントローラ２２Ｂからの要求により、太陽電池３０のブロック３０Ｃの発電電力を、制御部１２０を介してコントローラ２２Ｂに送信する。格納部１２９は、制御部１２０を介して行われる制御部１４０からの要求により、太陽電池３０のブロック３０Ｃの発電電力を、制御部１２０を介して制御部１４０に送信する。
【０１１１】
図９に示すように、コントローラ２２Ｂは、第１の実施形態と比べて、発電電力予測部２２７をさらに備える。また、コントローラ２２Ｂは、第１の実施形態と比べて、初期残量設定部２２４の代わりに、初期残量設定部２２４Ａを備える。
【０１１２】
発電電力予測部２２７は、初期残量設定部２２４からの要求により、時間帯設定部２２１が設定した時間帯に太陽電池３０のブロック３０Ｃが発電する電力を予測する。発電電力は、例えば、以下のようにして予測される。
【０１１３】
発電電力予測部２２７は、格納部１２９が格納する太陽電池３０のブロック３０Ｃの発電電力を、制御部２２０及び制御部１２０を介して取得する。発電電力予測部２２７は、格納部１２９が格納する太陽電池３０のブロック３０Ｃの発電電力を基にして、時間帯設定部２２１が設定した時間帯に太陽電池３０のブロック３０Ｃが発電する電力を予測する。
【０１１４】
具体的には、発電電力予測部２２７は、例えば、時間帯設定部２２１が設定した時間帯と同じ時間帯であって且つ時間帯設定部２２１が設定した時間帯に予想される天気と同じ天気のときの発電電力のうち、停電が発生する日に最も近い日の発電電力の平均値や最小値を時間帯設定部２２１が設定した時間帯の発電電力と予測する。時間帯設定部２２１が設定した時間帯に予想される天気は、例えば、発電電力予測部２２７がインターネットを介して取得する。なお、発電電力予測部２２７は、時間帯設定部２２１が設定した時間帯と同じ時間帯であって過去数日分の当該時間帯における発電電力の平均値や最小値を時間帯設定部２２１が設定した時間帯の発電電力と予測してもよいし、時間帯設定部２２１が設定した時間帯と同じ時間帯であって昨年の同じ日の当該時間帯における発電電力の平均値や最小値を時間帯設定部２２１が設定した時間帯の発電電力と予測してもよい。
【０１１５】
突発的な停電に備える場合には、発電電力予測部２２７は、例えば、現時点の発電電力、つまり、格納部１２９が格納する発電電力のうち最新の発電電力を時間帯設定部２２１が設定した時間帯の発電電力と予測する。なお、突発的な停電に備える場合には、発電電力予測部２２７は、時間帯設定部２２１が設定した時間帯と同じ時間帯であって過去数日分の当該時間帯における消費電力の最小値を時間帯設定部２２１が設定した時間帯の消費電力と予測してもよいし、時間帯設定部２２１が設定した時間帯と同じ時間帯であって昨年の同じ日の当該時間帯における消費電力の最小値を時間帯設定部２２１が設定した時間帯の消費電力と予測してもよい。
【０１１６】
なお、実際の使用に基づく発電電力が格納部１２９に格納されていない場合、発電電力予測部２２７は、例えば、定格発電電力を利用してもよい。
【０１１７】
初期残量設定部２２４Ａは、消費電力予測部２２３が予測した消費電力（単位：ｋＷ）と時間帯設定部２２１が設定した時間帯の時間長さ（単位：ｈ）とを乗算して得られる第１電力量（単位：ｋＷｈ）を求める。第１電力量は、停電が発生しているときに電気機器２６が消費すると予測される電力量であり、第１の実施形態において蓄電池１４３の初期残量を設定する際に用いた電力量と同じである。複数の電気機器２６を使用する場合、初期残量設定部２２４Ａは電気機器２６ごとに第１電力量を計算する。初期残量設定部２２４Ａは、使用する電気機器２６ごとに得られた第１電力量を合算する。
【０１１８】
初期残量設定部２２４Ａは、発電電力予測部２２７が予測した発電電力（単位：ｋＷ）と時間帯設定部２２１が設定した時間帯の時間長さ（単位：ｈ）とを乗算して得られる第２電力量（単位：ｋＷｈ）を求める。第２電力量は、太陽電池３０のブロック３０Ｃによる発電電力量である。なお、時間帯設定部２２１が設定した時間帯によっては、第２電力量がゼロになる場合がある。例えば、夜間である。
【０１１９】
初期残量設定部２２４Ａは、第１電力量から第２電力量を減算して得られる第３電力量を蓄電池１４３の残量に設定する。つまり、本実施形態では、第１の実施形態において設定される残量よりも太陽電池３０のブロック３０Ｃによる発電電力量だけ少ない電力量が、蓄電池１４３の残量に設定される。第３電力量がマイナスになった場合、初期残量設定部２２４Ａは、蓄電池１４３の残量をゼロに設定する。
【０１２０】
制御部１４０は、停電が発生しているときに、格納部１２９に格納される発電電力のうち最新の発電電力を、制御部１２０を介して取得する。制御部１４０は、停電が発生しているときに、中継器１８が格納する消費電力のうち最新の消費電力を、制御部１２０、コントローラ２２Ｂ及びルータ２０を介して取得する。制御部１４０は、取得した発電電力及び消費電力を比較し、その結果に応じて、停電時に電気機器２６に電力を供給する電源を変更する。具体的には、発電電力が消費電力よりも大きい場合には、太陽電池３０のブロック３０Ｃによる発電電力が蓄電池１４３及び電気機器２６に供給される。発電電力が消費電力以下である場合には、太陽電池３０のブロック３０Ｃによる発電電力及び蓄電池１４３が蓄える電力を電気機器２６に供給する。
【０１２１】
続いて、蓄電システム１０Ａの制御部が行う処理について、フローチャートを参照しながら説明する。蓄電システム１０Ａの制御部は、コントローラ２２Ｂが備える制御部２２０、パワーコンディショナ１２Ａが備える制御部１２０、蓄電池ボックス１４が備える制御部１４０、および、パワーコンディショナ３２が備える制御部３２０を含んで構成される。以下に説明する処理は、コントローラ２２Ａが備える制御部２２０、パワーコンディショナ１２Ａが備える制御部１２０、蓄電池ボックス１４が備える制御部１４０、及び、パワーコンディショナ３２が備える制御部３２０の何れかが実行する。
【０１２２】
図１０を参照しながら、停電が発生していないときの処理（通常時の処理）について説明する。なお、第１の実施形態と同じ処理については、第１の実施形態と同じステップ番号を付して、その詳細な説明は省略する。
【０１２３】
本実施形態では、第１の実施形態と比べて、Ｓ１２の代わりにＳ１２Ａが実行され、Ｓ１４の代わりにＳ１４Ａが実行され、Ｓ１６の代わりにＳ１６Ｃが実行される。以下、Ｓ１２Ａ、Ｓ１４Ａ及びＳ１６Ｃの処理について説明する。
【０１２４】
［Ｓ１２Ａの処理］
制御部２２０は、Ｓ１２Ａにおいて、蓄電池１４３の残量を設定する処理を実行する。蓄電池１４３の残量を設定する処理は、以下のとおりである。
【０１２５】
先ず、制御部２２０は、初期残量設定部２２４Ａに対して、蓄電池１４３の残量を設定するように要求する。
【０１２６】
初期残量設定部２２４は、使用機器選択部２２２が選択している電気機器２６を取得する。初期残量設定部２２４は、時間帯設定部２２１が設定している時間帯を取得する。初期残量設定部２２４は、使用機器選択部２２２が選択している電気機器２６及び停電時間帯２２１が設定している時間帯を、消費電力予測部２２３に提供する。消費電力予測部２２３は、初期残量設定部２２４から提供されたデータ（使用機器選択部２２２が選択している電気機器２６及び時間帯設定部２２１が設定している時間帯）を基にして、蓄電池１４３の残量を設定するために必要なデータを決定する。計画停電に備える場合には、例えば、使用機器選択部２２２が選択した電気機器２６が過去に消費した電力であって、時間帯設定部２２１が設定した時間帯と同じ時間帯に消費した電力を、蓄電池１４３の残量を設定するために必要なデータにする。突発的な停電に備える場合には、例えば、使用機器選択部２２２が選択した電気機器２６が過去に消費した電力であって、最新の消費電力を、蓄電池１４３の残量を設定するために必要なデータにする。消費電力予測部２２３は、蓄電池１４３の残量を設定するために必要なデータを、ルータ２０を介して、中継器１８から取得する。消費電力予測部２２３は、取得したデータに基づいて、時間帯設定部２２１が設定した時間帯に使用機器選択部２２２が選択した電気機器２６が消費する電力を予測する。消費電力予測部２２３は、予測した消費電力を初期残量設定部２２４に提供する。初期残量設定部２２４は、消費電力予測部２２３が予測した消費電力と時間帯設定部２２１が設定した時間帯の時間長さとに基づいて、時間帯設定部２２１が設定した時間帯に使用機器選択部２２２が選択した電気機器２６が消費する第１電力量を求める。
【０１２７】
初期残量設定部２２４Ａは、発電電力予測部２２７に対して、時間帯設定部２２１が設定した時間帯に太陽電池３０のブロック３０Ｃが発電する電力を予測するように要求する。初期残量設定部２２４Ａは、時間帯設定部２２１が設定している時間帯を、発電電力予測部２２７に提供する。発電電力予測部２２７は、初期残量設定部２２４Ａから提供されたデータ（停電時間帯２２１が設定している時間帯）を基にして、蓄電池１４３の残量を設定するために必要なデータを決定する。計画停電に備える場合には、発電電力予測部２２７は、例えば、時間帯設定部２２１が設定した時間帯と同じ時間帯であって且つ時間帯設定部２２１が設定した時間帯に予想される天気と同じ天気のときの発電電力のうち、停電が発生する日に最も近い日の発電電力の平均値や最小値を、蓄電池１４３の残量を設定するために必要なデータとする。突発的な停電に備える場合には、発電電力予測部２２７は、例えば、現時点の発電電力、つまり、格納部１２９が格納する発電電力のうち最新の発電電力を、蓄電池１４３の残量を設定するために必要なデータとする。発電電力予測部２２７は、蓄電池１４３の残量を設定するために必要なデータを、制御部２２０及び制御部１２０を介して、格納部１２９から取得する。発電電力予測部２２７は、取得したデータに基づいて、時間帯設定部２２１が設定した時間帯に太陽電池３０のブロック３０Ｃが発電する電力を予測する。発電電力予測部２２７は、予測した発電電力を初期残量設定部２２４Ａに提供する。初期残量設定部２２４Ａは、発電電力予測部２２７が予測した発電電力と時間帯設定部２２１が設定した時間帯の時間長さとに基づいて、時間帯設定部２２１が設定した時間帯に太陽電池３０のブロック３０Ｃが発電する第２電力量を求める。
【０１２８】
初期残量設定部２２４Ａは、第１電力量から第２電力量を減算して得られる第３電力量を蓄電池１４３の残量に設定する。初期残量設定部２２４は、初期残量設定部２２４が設定した残量（設定残量）を制御部２２０に提供する。制御部２２０は、提供された設定残量を、制御部１２０を介して、制御部１４０に送信する。制御部１４０は、受信した設定残量を、停電が発生したときに必要な蓄電池１４３の残量（初期残量）に設定する。
【０１２９】
［Ｓ１４Ａの処理］
制御部１２０、１４０、３２０は、Ｓ１４Ａにおいて、蓄電池１４３を充電する処理を実行する。
【０１３０】
蓄電池１４３を充電する処理は、以下のとおりである。
（１）制御部１４０は、太陽電池３０のブロック３０Ｃが発電する電力及び電力系統２４からの電力を電気機器２６に供給するとともに、蓄電池１４３を充電するように、蓄電池ボックス１４の動作を制御する。
（２）制御部１４０は、蓄電池ボックス１４が行う動作を示す信号を、制御部１２０に送信する。
（３）制御部１４０は、蓄電池ボックス１４が行う動作を示す信号を、制御部１２０を介して、制御部３２０に送信する。
（４）制御部１２０は、制御部１４０からの信号を受信したら、太陽電池３０のブロック３０Ｃが発電する電力及び電力系統２４からの電力を電気機器２６に供給するとともに、蓄電池１４３を充電するように、パワーコンディショナ１２の動作を制御する。
（５）制御部３２０は、制御部１４０からの信号を受信したら、太陽電池３０のブロック３０Ｃが発電する電力を電気機器２６及び蓄電池１４３に供給するように、パワーコンディショナ３２の動作を制御する。
【０１３１】
具体的には、制御部１４０は、ブレーカ１４２をＯＮするとともに、各切替スイッチ１４４において、スイッチ１４４Ｃを接点１４４Ｂに接続する。制御部１２０は、保護リレー１２３及び連系リレー１２４をＯＮし、且つ、自立リレー１２５をＯＦＦする。制御部１２０はさらに、切替スイッチ１２７において、スイッチ１２７Ｃを接点１２７Ａに接続する。制御部３２０は、保護リレー３２３及び連系リレー３２４をＯＮし、且つ、自立リレー３２５をＯＦＦする。これにより、太陽電池３０のブロック３０Ａ〜３０Ｃが発電する電力及び電力系統２４からの電力が、切替スイッチ１４４及び消費電力取得部１６を介して、電気機器２６に供給される。また、太陽電池３０のブロック３０Ａ〜３０Ｃが発電する電力及び電力系統２４からの電力により、蓄電池１４３が充電される。なお、停電が発生する時間帯によっては、太陽電池３０のブロック３０Ａ〜３０Ｃが発電する電力がゼロになる場合がある。
【０１３２】
［Ｓ１６Ｃの処理］
制御部１２０、１４０、３２０は、Ｓ１６Ｃにおいて、電気機器２６に電力を供給する処理を実行する。
【０１３３】
電気機器２６に電力を供給する態様としては、以下の３つがある。制御部１２０、１４０，３２０は、何れの処理を実行してもよい。
（１）蓄電池１４３が蓄える電力、電力系統２４からの電力及び太陽電池３０のブロック３０Ａ〜３０Ｃが発電する電力を電気機器２６に供給する態様
（２）蓄電池１４３が蓄える電力及び太陽電池３０のブロック３０Ｃが発電する電力を電気機器２６に供給する態様
（３）電力系統２４からの電力及び太陽電池３０のブロック３０Ａ〜３０Ｃが発電する電力を電気機器２６に供給する態様
【０１３４】
蓄電池１４３が蓄える電力、電力系統２４からの電力及び太陽電池３０のブロック３０Ａ〜３０Ｃが発電する電力を電気機器２６に供給する態様において実行される処理は、以下のとおりである。
（１）制御部１４０は、蓄電池１４３が蓄える電力、電力系統２４からの電力及び太陽電池３０のブロック３０Ａ〜３０Ｃが発電する電力を電気機器２６に供給するように、蓄電池ボックス１４の動作を制御する。
（２）制御部１４０は、蓄電池ボックス１４が行う動作を示す信号を制御部１２０に送信する。
（３）制御部１４０は、蓄電池ボックス１４が行う動作を示す信号を、制御部１２０を介して、制御部３２０に送信する。
（４）制御部１２０は、制御部１４０からの信号を受信したら、蓄電池１４３が蓄える電力、電力系統２４からの電力及び太陽電池３０のブロック３０Ａ〜３０Ｃが発電する電力を電気機器２６に供給するように、パワーコンディショナ１２の動作を制御する。
（５）制御部３２０は、制御部１４０からの信号を受信したら、太陽電池３０のブロック３０Ｃが発電する電力を電気機器２６に供給するように、パワーコンディショナ３２の動作を制御する。
【０１３５】
具体的には、制御部１４０は、ブレーカ１４２をＯＮするとともに、各切替スイッチ１４４において、スイッチ１４４Ｃを接点１４４Ｂに接続する。制御部１２０は、保護リレー１２３及び連系リレー１２４をＯＮし、且つ、自立リレー１２５をＯＦＦする。制御部１２０はさらに、切替スイッチ１２７において、スイッチ１２７Ｃを接点１２７Ａに接続する。制御部３２０は、保護リレー３２３及び連系リレー３２４をＯＮし、且つ、自立リレー３２５をＯＦＦする。これにより、蓄電池１４３の電力が、ブレーカ１４２、双方向ＤＣ／ＤＣ変換器１２２、双方向ＤＣ／ＡＣ変換器１２１、保護リレー１２３、連系リレー１２４、切替スイッチ１４４及び消費電力取得部１６を介して、電気機器２６に供給される。太陽電池３０のブロック３０Ａ、３０Ｂが発電する電力が、ＤＣ／ＤＣ変換器３２１、ＤＣ／ＡＣ変換器３２２、保護リレー３２３、連系リレー３２４、切替スイッチ１４４及び消費電力取得部１６を介して、電気機器２６に供給される。太陽電池３０のブロック３０Ｃが発電する電力が、切換スイッチ１２７、ＤＣ／ＤＣ変換器３２１、ＤＣ／ＡＣ変換器３２２、保護リレー３２３、連系リレー３２４、切替スイッチ１４４及び消費電力取得部１６を介して、電気機器２６に供給される。電力系統２４からの電力が、切替スイッチ１４４及び消費電力取得部１６を介して、電気機器２６に供給される。なお、この態様においては、太陽電池３０のブロック３０Ａ〜３０Ｃが発電する電力が電力系統２４からの電力よりも多い場合には、電力系統２４からの電力は電気機器２６に供給されない。
【０１３６】
蓄電池１４３が蓄える電力及び太陽電池３０のブロック３０Ｃが発電する電力を電気機器２６に供給する態様において実行される処理は、以下のとおりである。
（１）制御部１４０は、太陽電池３０のブロック３０Ｃが発電する電力及び蓄電池１４３が蓄える電力を電気機器２６に供給するように、蓄電池ボックス１４の動作を制御する。
（２）制御部１４０は、蓄電池ボックス１４が行う動作を示す信号を制御部１２０に送信する。
（３）制御部１２０は、制御部１４０からの信号を受信したら、太陽電池３０のブロック３０Ｃが発電する電力及び蓄電池１４３が蓄える電力を電気機器２６に供給するように、パワーコンディショナ１２の動作を制御する。
【０１３７】
具体的には、制御部１４０は、ブレーカ１４２をＯＮするとともに、各切替スイッチ１４４において、スイッチ１４４Ｃを接点１４４Ａに接続する。制御部１２０は、保護リレー１２３及び連系リレー１２４をＯＦＦし、且つ、自立リレー１２５をＯＮする。制御部１２０はさらに、切替スイッチ１２７において、スイッチ１２７Ｃを接点１２７Ｂに接続する。これにより、蓄電池１４３の電力が、ブレーカ１４２、双方向ＤＣ／ＤＣ変換器１２２、双方向ＤＣ／ＡＣ変換器１２１、自立リレー１２５、切替スイッチ１４４及び消費電力取得部１６を介して、電気機器２６に供給される。また、太陽電池３０のブロック３０Ｃが発電する電力が、切替スイッチ１２７、ＤＣ／ＤＣ変換器１２６、双方向ＤＣ／ＡＣ変換器１２１、自立リレー１２５、切替スイッチ１４４及び消費電力取得部１６を介して、電気機器２６に供給される。また、電力系統２４からの電力を電気機器２６に供給する経路及び太陽電池３０のブロック３０Ａ、３０Ｂが発電する電力を電気機器２６に供給する経路が遮断される。
【０１３８】
電力系統２４からの電力及び太陽電池３０のブロック３０Ａ〜３０Ｃが発電する電力を電気機器２６に供給する態様において実行される処理は、以下のとおりである。
（１）制御部１４０は、電力系統２４からの電力及び太陽電池３０のブロック３０Ａ〜３０Ｃが発電する電力を電気機器２６に供給するように、蓄電池ボックス１４の動作を制御する。
（２）制御部１４０は、蓄電池ボックス１４が行う動作を示す信号を制御部１２０に送信する。
（３）制御部１４０は、蓄電池ボックス１４が行う動作を示す信号を、制御部１２０を介して、制御部３２０に送信する。
（４）制御部１２０は、制御部１４０からの信号を受信したら、電力系統２４からの電力及び太陽電池３０のブロック３０Ａ〜３０Ｃが発電する電力を電気機器２６に供給するように、パワーコンディショナ１２の動作を制御する。
（５）制御部３２０は、制御部１４０からの信号を受信したら、太陽電池３０のブロック３０Ａ〜３０Ｃが発電する電力を電気機器２６に供給するように、パワーコンディショナ３２の動作を制御する。
【０１３９】
具体的には、制御部１４０は、ブレーカ１４２をＯＦＦするとともに、各切替スイッチ１４４において、スイッチ１４４Ｃを接点１４４Ｂに接続する。制御部１２０は、保護リレー１２３及び連系リレー１２４をＯＮし、且つ、自立リレー１２５をＯＦＦする。制御部１２０はさらに、切替スイッチ１２７において、スイッチ１２７Ｃを接点１２７Ａに接続する。制御部３２０は、保護リレー３２３及び連系リレー３２４をＯＮし、且つ、自立リレー３２５をＯＦＦする。これにより、太陽電池３０のブロック３０Ａ、３０Ｂが発電する電力が、ＤＣ／ＤＣ変換器３２１、ＤＣ／ＡＣ変換器３２２、保護リレー３２３、連系リレー３２４、切替スイッチ１４４及び消費電力取得部１６を介して、電気機器２６に供給される。太陽電池３０のブロック３０Ｃが発電する電力が、切換スイッチ１２７、ＤＣ／ＤＣ変換器３２１、ＤＣ／ＡＣ変換器３２２、保護リレー３２３、連系リレー３２４、切替スイッチ１４４及び消費電力取得部１６を介して、電気機器２６に供給される。電力系統２４からの電力が、切替スイッチ１４４及び消費電力取得部１６を介して、電気機器２６に供給される。蓄電池１４３が蓄える電力を電気機器２６に供給する経路が遮断される。なお、この態様においては、太陽電池３０のブロック３０Ａ〜３０Ｃが発電する電力が電力系統２４からの電力よりも多い場合には、電力系統２４からの電力は電気機器２６に供給されない。
【０１４０】
続いて、図１１を参照しながら、停電が発生したときの処理（停電時の処理）について説明する。なお、第１の実施形態と同じ処理については、第１の実施形態と同じステップ番号を付して、その詳細な説明は省略する。
【０１４１】
本実施形態では、第１の実施形態と比べて、Ｓ１０１の代わりに、Ｓ１０１Ａ及びＳ１０１Ｂの何れかが実行される。また、Ｓ１０１Ａ及びＳ１０１Ｂの何れかが実行される前に、Ｓ１０５及びＳ１０６が実行される。
【０１４２】
制御部１４０は、Ｓ１０５において、現時点における太陽電池３０のブロック３０Ｃによる発電電力と電気機器２６の消費電力とを比較する。具体的には、制御部１４０は、格納部１２９に格納される発電電力のうち最新の発電電力を、制御部１２０を介して取得するとともに、中継器１８が格納する消費電力のうち最新の消費電力を、制御部１２０、コントローラ２２Ｂ及びルータ２０を介して取得する。制御部１４０は、取得した発電電力が消費電力よりも大きいか否かを確認する。
【０１４３】
発電電力が消費電力よりも大きい場合（Ｓ１０５：ＹＥＳ）には、制御部１４０は、Ｓ１０６において、残量検出部１４１による検出残量に基づいて、蓄電池１４３が満タンであるか否かを判断する。蓄電池１４３の残量が満タンでない場合（Ｓ１０６：ＹＥＳ）、制御部１４０は、Ｓ１０１Ａにおいて、太陽電池３０のブロック３０Ｃが発電する電力を蓄電池１４３及び電気機器２６に供給する。なお、蓄電池１４３が蓄える電力及び太陽電池３０のブロック３０Ｃが発電する電力を電気機器２６に供給する態様において実行される処理については、Ｓ１６Ｃの処理を説明するときに説明しているので、その詳細な説明は省略する。Ｓ１０１Ａの処理が終了したら、Ｓ１０２以降の処理が実行される。なお、本実施形態では、Ｓ１０２の処理が終了したら、Ｓ１０５以降の処理が繰り返し実行される。
【０１４４】
発電電力が消費電力以下である場合（Ｓ１０５：ＮＯ）及び蓄電池１４３が満タンである場合（Ｓ１０６：ＹＥＳ）には、制御部１４０は、Ｓ１０１Ｂにおいて、蓄電池１４３が蓄える電力及び太陽電池３０のブロック３０Ｃの電力を電気機器２６に供給する。
【０１４５】
蓄電池１４３が蓄える電力及び太陽電池３０のブロック３０Ｃの電力を電気機器２６に供給する態様において実行される処理は、以下のとおりである。
（１）制御部１４０は、蓄電池１４３が蓄える電力及び太陽電池３０のブロック３０Ｃが発電する電力を電気機器２６に供給するように、蓄電池ボックス１４の動作を制御する。
（２）制御部１４０は、蓄電池ボックス１４が行う動作を示す信号を制御部１２０に送信する。
（３）制御部１２０は、制御部１４０からの信号を受信したら、蓄電池１４３が蓄える電力及び太陽電池３０のブロック３０Ｃが発電する電力を電気機器２６に供給するように、パワーコンディショナ１２の動作を制御する。
【０１４６】
具体的には、制御部１４０は、ブレーカ１４２をＯＮするとともに、各切替スイッチ１４４において、スイッチ１４４Ｃを接点１４４Ａに接続する。制御部１２０は、保護リレー１２３及び連系リレー１２４をＯＦＦし、且つ、自立リレー１２５をＯＮする。制御部１２０はさらに、切替スイッチ１２７において、スイッチ１２７Ｃを接点１２７Ｂに接続する。これにより、太陽電池３０のブロック３０Ｃが発電する電力が、切換スイッチ１２７、ＤＣ／ＤＣ変換器３２１、ＤＣ／ＡＣ変換器３２２、保護リレー３２３、連系リレー３２４、切替スイッチ１４４及び消費電力取得部１６を介して、電気機器２６に供給される。蓄電池１４３の電力が、ブレーカ１４２、双方向ＤＣ／ＤＣ変換器１２２、双方向ＤＣ／ＡＣ変換器１２１、自立リレー１２５、切替スイッチ１４４及び消費電力取得部１６を介して、電気機器２６に供給される。太陽電池３０のブロック３０Ａ、３０Ｂが発電する電力を電気機器２６に供給する経路及び電力系統２４からの電力を電気機器２６に供給する経路が遮断される。
【０１４７】
このような蓄電システム１０Ａにおいては、太陽電池３０を備えているので、停電発生時に供給可能な電力量が増える。そのため、例えば、停電時間が長くなる場合や、消費電力が多くなる場合にも対応できる。
【０１４８】
また、蓄電システム１０Ａにおいては、太陽電池３０のブロック３０Ｃが発電する電力を考慮して、蓄電池１４３の残量が設定される。そのため、第１の実施形態と比べて、蓄電池１４３の残量を少なく設定できる。つまり、第１の実施形態よりも、蓄電池１４３が蓄える電力を多く利用できる。
【０１４９】
［第２の実施形態の応用例１］
初期残量設定部２２４Ａは、蓄電池１４３の残量を設定する際、太陽電池３０のブロック３０Ｃが発電する電力を考慮しなくてもよい。この場合、第１の実施形態と同じ残量が設定される。その結果、停電時に消費できる電力量が増える。
【０１５０】
［第２の実施形態の応用例２］
第１の実施形態の応用例１で説明したように、電気料金が安い時間帯では、蓄電池１４３の電力を使用せずに、太陽電池３０が発電する電力及び電力系統２４からの電力を使用してもよい。
【０１５１】
［第２の実施形態の応用例３］
第１の実施形態の応用例２で説明したように、停電が発生しているときに、蓄電池１４３の残量に応じて、使用する電気機器２６を減らしてもよい。
【０１５２】
以上、本発明の実施形態について、詳述してきたが、これらはあくまでも例示であって、本発明は、上述の実施形態によって、何等、限定されない。
【０１５３】
例えば、実際に停電が発生したときに、使用する電気機器２６をユーザに確認してもよい。この場合、停電が発生した時間帯において本当に必要な電気機器２６をユーザが使用できる。特に、使用する電気機器２６を減らす場合には、優先的に使用したい電気機器２６の使用時間を長くできる。
【符号の説明】
【０１５４】
１０：蓄電システム、１２０：制御部、１４０：制御部、１４１：残量検出部、１４３：蓄電池、１６：消費電力取得部、２２０：制御部、２２１：時間帯設定部、２２２：使用機器選択部、２２３：消費電力予測部、２２４：初期残量設定部、２２５：基準残量設定部、２２６：優先順位設定部、２２７：発電電力予測部、２６：電気機器、３０：太陽電池（発電装置）
【図１】
2014183640.tif 000003
【図２】
2014183640.tif 000004
【図３】
2014183640.tif 000005
【図４】
2014183640.tif 000006
【図５】
2014183640.tif 000007
【図６】
2014183640.tif 000008
【図７】
2014183640.tif 000009
【図８】
2014183640.tif 000010
【図９】
2014183640.tif 000011
【図１０】
2014183640.tif 000012
【図１１】
2014183640.tif 000013